(57)【要約】      （修正有）【課題】錠体と別途に差込具を有するパッドロックを提供する。【解決手段】差込具２０は頭部２２を有する。錠栓１８２が係止具を止めていない状態では、差込具２０を差し込むことが可能である。差込具２０を差し込めばその頭部２２が係止具の肩部の斜面を押しのける。更に頭部２２が肩部の位置を越えるように奥に押し込めば、肩部が元来の位置に戻って頭部２２の後方にある凹部２４に食い込み、差込具２０を本体１２に係止するようになる。ダイヤル盤で施錠すれば、錠栓１８２、シャックルの可動部１２２４、係止具はいずれも移動不能となる。この状態では差し込められた差込具２０は本体内に固定され、ダイヤル盤で解錠すれば、差込具２０をはずすことができる。【選択図】図３
0003111784.tif 000002
【実用新案登録請求の範囲】
【請求項１】
差込具を有する物件にかけるパッドロックは、
特定空間を定め、その空間の欠け口を形成することができる可動部を有するシャックルと、差込具を受け入れる差込孔とを有する本体と、
本体に設けられ、押されると可動部が連動するボタンと、
ボタンに突き当たるように本体に設けられ、解錠状態では差込具を係止し、更にボタンと連動してその係止状態を解除できる移動可能な係止具と、
本体の中に設けられ、移動可能な錠栓を有して施錠状態と解錠状態を決める錠シリンダーとを含み、
施錠状態では錠栓は可動部と係止具を留めることによってシャックルを閉鎖し、更に差込具を本体から外せないようにさせる構成としたことを特徴とするパッドロック。
【請求項２】
前記シャックルの可動部が本体にネジつけられることを特徴とする請求項１記載のパッドロック。
【請求項３】
前記差込具の前端には凹部が設けられ、前記係止具は差込孔に対応して凹部を食い込むための肩部を有することを特徴とする請求項１記載のパッドロック。
【請求項４】
前記錠栓が弾力体によって係止具に突き当たるように支持されることを特徴とする請求項１記載のパッドロック。
【請求項５】
前記錠シリンダーは更に、錠栓に組み合わせられ、錠栓を留めるか否かを決める複数のダイヤル盤を有することを特徴とする請求項１または請求項４記載のパッドロック。
【請求項６】
前記係止具と錠栓は相互に突き当たる斜面を有することを特徴とする請求項１または請求項４記載のパッドロック。
【請求項７】
前記係止具とボタンは相互に突き当たる斜面を有することを特徴とする請求項１記載のパッドロック。
【請求項８】
前記ボタンは弾力体によって本体外に突き出るように支持されることを特徴とする請求項１記載のパッドロック。
【請求項９】
前記本体が更にリングを有することを特徴とする請求項１記載のパッドロック。
【請求項１０】
前記リングが留め具で本体に取りつけられることを特徴とする請求項９記載のパッドロック。
【請求項１１】
差込具を有する物件にかけるパッドロックは、
特定空間を定め、その空間の欠け口を形成することができる可動部を有するシャックルと、差込具を受け入れる差込孔とを有する本体と、
可動部に突き当たるように本体に設けられ、解錠状態では差込具を係止し、更に可動部と連動してその係止状態を解除できる移動可能な係止具と、
本体の中に設けられ、移動可能な錠栓を有して施錠状態と解錠状態を決める錠シリンダーとを含み、
施錠状態では錠栓は可動部と係止具を留めることによってシャックルを閉鎖し、更に差込具を本体から外せないようにさせる構成としたことを特徴とするパッドロック。
【請求項１２】
前記シャックルの可動部が本体にネジつけられることを特徴とする請求項１１記載のパッドロック。
【請求項１３】
前記可動部が外力を受ける部分を有することを特徴とする請求項１１または請求項１２記載のパッドロック。
【請求項１４】
前記差込具の前端には凹部が設けられ、前記係止具は差込孔に対応して凹部を食い込むための肩部を有することを特徴とする請求項１１記載のパッドロック。
【請求項１５】
前記錠栓が弾力体によって係止具に突き当たるように支持されることを特徴とする請求項１１記載のパッドロック。
【請求項１６】
前記錠シリンダーは更に、錠栓に組み合わせられ、錠栓を留めるか否かを決める複数のダイヤル盤を有することを特徴とする請求項１１または請求項１５記載のパッドロック。
【請求項１７】
前記係止具と錠栓は相互に突き当たる斜面を有することを特徴とする請求項１１または請求項１５記載のパッドロック。
【請求項１８】
前記本体が更にリングを有することを特徴とする請求項１１記載のパッドロック。
【請求項１９】
前記リングが留め具で本体に取りつけられることを特徴とする請求項１８記載のパッドロック。
【請求項２０】
差込具を有する物件にかけるパッドロックは、
差込具を受け入れる差込孔を有する本体と、
特定空間を定め、その空間の欠け口を形成する位置に移動できるシャックルと、
解錠状態では差込具を係止し、更にシャックルと連動してその係止状態を解除できる移動可能な係止具と、
本体の中に設けられ、施錠状態と解錠状態を決める錠シリンダーとを含み、
施錠状態では錠シリンダーはシャックルと係止具を留めることによってシャックルを閉鎖し、更に差込具を本体から外せないようにさせる構成としたことを特徴とするパッドロック。
【請求項２１】
前記本体がベルトとつながることを特徴とする請求項２０記載のパッドロック。
【請求項２２】
前記ベルトと本体がリングでつながることを特徴とする請求項２１記載のパッドロック。
【請求項２３】
前記前記リングが留め具で本体に取りつけられることを特徴とする請求項２２記載のパッドロック。
【請求項２４】
前記錠シリンダーは、
弾力体によって係止具に突き当たるように支持される移動可能な錠栓と、
錠栓に組み合わせられ、錠栓を留めるか否かを決める複数のダイヤル盤とを有することを特徴とする請求項２１記載のパッドロック。
【考案の詳細な説明】
【技術分野】
【０００１】
この考案はパッドロックに関し、特に錠体と別途に差込具を有し、かばん、アタッシェケース、スーツケース（以下かばん等と称する）にかけるパッドロックに関する。
【背景技術】
【０００２】
盗難を防ぐために手持ちのかばん等自体にかける錠前と、テーブルや椅子などに係止する錠前は既に従来の技術として周知されている。
【考案の開示】
【考案が解決しようとする課題】
【０００３】
この考案は従来の技術による問題を解決するため、錠体と別途に差込具を有するパッドロックを提供することを課題とする。
【課題を解決するための手段】
【０００４】
この考案によれば、差込具を有する物件にかけるパッドロックは、特定空間を定め、その空間の欠け口を形成することができる可動部を有するシャックルと、差込具を受け入れる差込孔とを有する本体と、本体に設けられ、押されると可動部が連動するボタンと、ボタンに突き当たるように本体に設けられ、解錠状態では差込具を係止し、更にボタンと連動してその係止状態を解除できる移動可能な係止具と、本体の中に設けられ、移動可能な錠栓を有して施錠状態と解錠状態を決める錠シリンダーとを含む。そのうち施錠状態では錠栓は可動部と係止具を留めることによってシャックルを閉鎖し、更に差込具を本体から外せないようにさせる。
【０００５】
この考案は更に差込具を有する物件にかけるパッドロックを提供する。該パッドロックは、特定空間を定め、その空間の欠け口を形成することができる可動部を有するシャックルと、差込具を受け入れる差込孔とを有する本体と、可動部に突き当たるように本体に設けられ、解錠状態では差込具を係止し、更に可動部と連動してその係止状態を解除できる移動可能な係止具と、本体の中に設けられ、移動可能な錠栓を有して施錠状態と解錠状態を決める錠シリンダーとを含む。そのうち施錠状態では錠栓は可動部と係止具を留めることによってシャックルを閉鎖し、更に差込具を本体から外せないようにさせる。
【０００６】
この考案は更に差込具を有する物件にかけるパッドロックを提供する。該パッドロックは、差込具を受け入れる差込孔を有する本体と、特定空間を定め、その空間の欠け口を形成する位置に移動できるシャックルと、解錠状態では差込具を係止し、更にシャックルと連動してその係止状態を解除できる移動可能な係止具と、本体の中に設けられ、施錠状態と解錠状態を決める錠シリンダーとを含む。そのうち施錠状態では錠シリンダーはシャックルと係止具を留めることによってシャックルを閉鎖し、更に差込具を本体から外せないようにさせる。
【考案の効果】
【０００７】
この考案によるパッドロックはかばん等を固定物に固定すると同時に、ファスナーを固定することもできるため、盗難対策をよりいっそう高めることができる。
【考案を実施するための最良の形態】
【０００８】
かかる装置の特徴を詳述するために、具体的な実施例を挙げ、図示を参照にして以下に説明する。
【実施例１】
【０００９】
図１と図２を参照する。図１と図２はこの考案によるパッドロックの立体外観及び内部構造を表す説明図である。更に図３を参照する。この考案によるパッドロック１０はかばん等にかけ、差込具２０を有する錠前である。
【００１０】
パッドロック１０は本体１２を有し、本体１２にはボタン１４と、移動自由の係止具１６と、錠シリンダー１８とを含む。本体１２は空間１２４を定めるシャックル１２２とつながり、施錠対象となるかばん等とつながる差込具２０を受け入れる差込孔１２６を有する。シャックル１２２は固定部１２２２と可動部１２２４からなり、可動部１２２４の両側にその回転軸１２２６が設けられる。可動部１２２４を動かすとともに空間１２４に欠け口１２８ができ、それによってシャックル１２２をかばん等にかけることができる。
【００１１】
ボタン１４は本体１２から突き出た突出部を有する。突出部は、突出部本体を支持して、更にそれが押された前の原状を回復させる弾力体１４２とつながる。ボタン１４には更に、可動部１２２４の溝１２２８方向に突き出る突起１４４が設けられる。ボタン１４を押せば、突起１４４と溝１２２８の働きによって可動部１２２４を回転させることができる。
【００１２】
上記のボタン１４と可動部１２２４の連動はこの考案の一実施例に過ぎず、この考案を制限するものではない。
【００１３】
係止具１６は差込孔１２６の近くに設けられ、錠シリンダー１８で止められる。差込具２０を差込孔１２６を通して本体１２に差し込めば、係止具１６は差込具２０を係止する。係止具１６の斜面１６２はボタン１４の斜面１４６に突き当たる。図４に示されるように、通常の状態では係止具１６は差込具２０を係止する。ボタン１４を押せば、係止具１６は連動して差込具２０を係止しないようになる。
【００１４】
したがって、ボタン１４を押すと、可動部１２２４は欠け口１２８（図５を参照）ができる位置に、同時に係止具１６は差込具２０を係止しない位置にそれぞれ動かされる。
【００１５】
錠シリンダー１８は弾力体１８４に支持され、斜面１８８で係止具１６の斜面１６４に突き当たる錠栓１８２と、施解錠状態を決める複数のダイヤル盤１８６を有する。錠シリンダー１８は従来の技術によるものであり、ここでその説明を省略する。解錠状態において錠栓１８２は移動可能であり、この場合、上記のボタン１４と係止具１６の連動によって錠栓１８２を図４のように奥に押すことができる。一方、施錠状態においては錠栓１８２は移動不能となり、ボタン１４と係止具１６も同じく移動不能となる（図３を参照）。
【００１６】
なお、本体１２には更に、留め具１３０で留められ、かばん等と結合するためのリング３０が設けられる。
【００１７】
図３によれば差込具２０は頭部２２を有する。錠栓１８２が係止具１６を止めていない状態では、差込具２０を差し込むことが可能である。差込具２０を差し込めばその頭部２２が係止具１６の肩部１６６の斜面１６８を押しのける。更に頭部２２が肩部１６６の位置を越えるように奥に押し込めば、肩部１６６が元来の位置に戻って頭部２２の後方にある凹部２４に食い込み、差込具２０を本体１２に係止するようになる。
【００１８】
図６はこの考案によるパッドロック１０の使用例を表す説明図である。図によればパッドロック１０はファスナー４２とベルトリング４４を有するかばん４０に使用される。パッドロック１０はリング３０でベルト４６の一端と結び、更にシャックル１２２でベルトリング４４と結んでいる。一方、差込具２０はファスナーのスライダー４８と結んでいる。この場合、前述の通りにダイヤル盤１８６で施錠すれば、錠栓１８２、シャックル１２２の可動部１２２４、係止具１６はいずれも移動不能となる。この状態では差し込められた差込具２０は本体内に固定され、ファスナー４２は開けられなくなる。このように、ベルト４６を椅子、テーブルなどの固定物５０に巻きつかせ、更にスライダー４８と結んだ差込具２０をパッドロックの本体に差し込んでダイヤル盤１８６で施錠すれば、パッドロック１０でかばん４０を固定物５０に固定すると同時に、ファスナー４２のスライダー４８を留めることもできる。それに反してダイヤル盤１８６で解錠すれば、差込具２０とベルト４６をはずすことができる。
【実施例２】
【００１９】
この考案の実施例２を説明する図７と図８を参照する。実施例１と異なり、実施例２によるパッドロック１０にはボタンが設けられず、そのシャックル１２２の可動部１２２４は係止具１６と連動するものである。
【００２０】
パッドロック１０は本体１２とつながるリング３０を有し、その本体１２の中には移動自由の係止具１６と錠シリンダー１８が設けられる。本体１２から空間１２４を定めるシャックル１２２が突き出て、更に本体１２には差込具２０を受け入れる差込孔１２６が設けられる。シャックル１２２は可動部１２２４を有し、可動部１２２４は係止具１６に突き当たる。解錠状態では、係止具１６は差込具２０を係止することができ、更に可動部１２２４と連動して差込具２０にかかる係止を解除することができる。錠シリンダー１８は移動自由の錠栓１８２と、錠栓１８２を係止具１６に突き当てるように支持する弾力体１８４と、施解錠状態を決める複数のダイヤル盤１８６とを含む。施錠状態にすれば錠栓１８２、可動部１２２４、係止具１６はいずれも移動不能となり、同時に差し込んだ差込具２０を留めることができる。
【００２１】
シャックル１２２の可動部１２２４は本体１２にネジつけられ、その一部１２３０は本体１２から突き出ている。解錠状態では、可動部１２２４を押して回転させるだけで係止具１６による差込具２０に対する係止状態を解除することができ、この点では実施例１より構造が簡単である。
【００２２】
以上はこの考案に好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録の範囲に属するものとする。
【産業上の利用可能性】
【００２３】
この考案によるパッドロックはかばん等を固定物に固定すると同時に、ファスナーを固定することもできるため、盗難対策をよりいっそう高めることができる。
【図面の簡単な説明】
【００２４】
【図１】この考案によるパッドロックを表す説明図である。
【図２】この考案によるパッドロックの内部構造を表す組立図である。
【図３】この考案によるパッドロックの第一断面図である。
【図４】この考案によるパッドロックの第二断面図である。
【図５】この考案によるパッドロックの使用例を表す説明図である。
【図６】この考案によるパッドロックの側面図である。
【図７】この考案の実施例２によるパッドロックの第一断面図である。
【図８】この考案の実施例２によるパッドロックの第二断面図である。
【符号の説明】
【００２５】
１０            パッドロック
１２            本体
１４            ボタン
１６            係止具
１８            錠シリンダー
２０            差込具
２２            頭部
２４            凹部
３０            リング
４０            かばん
４２            ファスナー
４４            ベルトリング
４６            ベルト
４８            スライダー
５０            固定物
１２２          シャックル
１２４          空間
１２６          差込孔
１２８          欠け口
１３０          留め具
１４２、１８４  弾力体
１４４          突起
１４６、１６２、１６４、１６８  斜面
１６６          肩部
１８２          錠栓
１８６          ダイヤル盤
１２２４        可動部
１２２６        回転軸
１２２８        溝
【図１】
0003111784.tif 000003
【図２】
0003111784.tif 000004
【図３】
0003111784.tif 000005
【図４】
0003111784.tif 000006
【図５】
0003111784.tif 000007
【図６】
0003111784.tif 000008
【図７】
0003111784.tif 000009
【図８】
0003111784.tif 000010